【事件の表示】
　特願２００９−１５５４２２「動画検索サーバおよび動画検索方法」拒絶査定不服審判事件〔平成２３年　１月２０日出願公開、特開２０１１−　１３７８５、請求項の数（３）〕について、次のとおり審決する。
【結　論】
　原査定を取り消す。
　本願の発明は、特許すべきものとする。
【理　由】
第１　手続の経緯 
　本願は、平成２１年６月３０日の出願であって、平成２４年６月１２日付けで拒絶理由が通知され、同年８月１５日付けで手続補正がされたが、同年９月１０日付けで拒絶査定がなされ、これに対し、同年１２月１３日に拒絶査定不服の審判が請求されるとともに、同日付けで手続補正がされ、平成２５年７月２２日付けで審尋がなされ、同年９月２０日に回答書が提出されたものである。
　
第２　平成２４年１２月１３日付けの手続補正（以下、「本件補正」という。）の適否
１．補正の内容 
　上記手続補正は補正前の平成２４年８月１５日付け手続補正書の特許請求の範囲の請求項１に記載された 
　 
　「インターネットを通じて、動画データに関する検索を受け付けて検索結果を送信する動画検索サーバであって、
　前記インターネットに公開された、前記動画データおよび、該動画データが撮影された異なる複数の位置を示す地域位置情報と該地域位置情報で特定される各位置でそれぞれ撮影された動画データの各再生開始時刻を示す再生位置情報とを含むメタ情報を収集する動画収集手段と、
　前記収集された動画データを前記メタ情報とともに記憶する動画データ記憶手段と、
　前記動画収集手段が収集した前記動画データおよび前記メタ情報を基にして、前記地域位置情報に含まれる位置と、動画データのファイル名と、前記位置で撮影された動画データの再生位置情報とを対応付けることで索引情報を生成する索引付与手段と、
　端末から検索要求を受け付ける検索受付手段と、
　前記検索要求に対応する地域位置情報と、前記索引情報に基づいて、前記動画データ記憶手段に記憶された動画データのファイル名と再生位置情報とを検索する検索手段と、
　前記検索手段が検索した検索結果を、前記検索要求を受け付けた端末に送信する検索結果送信手段と、を備える動画検索サーバ。」 
 　
という発明を、 
　 
　「インターネットを通じて、動画データに関する検索を受け付けて検索結果を送信する動画検索サーバであって、
　前記インターネットに公開された、撮影位置の異なる画像が連ねて構成された動画データおよび、該動画データが撮影された異なる複数の位置を示す地域位置情報と該地域位置情報で特定される各位置でそれぞれ撮影された前記動画データ内の各再生開始時刻を示す再生位置情報とを含むメタ情報を収集する動画収集手段と、
　前記収集された動画データを前記メタ情報とともに記憶する動画データ記憶手段と、
　前記動画収集手段が収集した前記動画データおよび前記メタ情報を基にして、前記地域位置情報に含まれる位置と、動画データのファイル名と、前記位置で撮影された動画データの再生位置情報とを対応付けることで索引情報を生成する索引付与手段と、
　端末から検索要求を受け付ける検索受付手段と、
　前記検索要求に対応する地域位置情報と、前記索引情報に基づいて、前記動画データ記憶手段に記憶され、前記検索要求に対応する地域位置情報の位置で撮影された時間帯の存在する動画データのファイル名と再生位置情報とを検索する検索手段と、
　前記検索手段が検索した検索結果に基づいて、前記検索要求に対応する地域位置情報の位置で撮影された時間帯の存在する動画データと、該動画データのうち、前記検索要求に対応する地域位置情報の位置で撮影された各再生開始時刻とを対応付けた情報を、前記検索要求を受け付けた端末に送信する検索結果送信手段と、を備える動画検索サーバ。」
　
と補正するものであり、また、独立請求項である本件補正前の請求項３についても同様に補正をするものである。 
　
２．補正の適否 
　本件補正は、請求項１に記載した発明を特定するために必要な事項である「前記動画データ」について、「撮影位置の異なる画像が連ねて構成された動画データ」との限定を付加し、また、「動画データ」について、「前記動画データ内」との限定を付加し、また、「動画データ」について、「前記検索要求に対応する地域位置情報の位置で撮影された時間帯の存在する動画データ」との限定を付加し、また、「検索結果」について、「検索結果に基づいて、前記検索要求に対応する地域位置情報の位置で撮影された時間帯の存在する動画データと、該動画データのうち、前記検索要求に対応する地域位置情報の位置で撮影された各再生開始時刻とを対応付けた情報」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「補正発明」という。）が特許法第１７条の２第６項において準用する同法第１２６条第７項の規定に適合するか（特許出願の際独立して特許を受けることができるものであるか）について以下に検討する。
　
（１）刊行物の記載事項 
Ａ　原査定の拒絶の理由に引用された特開平９−１６３２７６号公報（以下、「刊行物１」）には、図面とともに以下の事項が記載されている。
　
イ．「【０００１】
【発明の属する技術分野】本発明は、動画、静止画、または音声情報に代表される被記録情報の少なくとも１種類を同時にディジタルまたはアナログ情報として記録し、再生しうる装置に関する。」（２頁１欄） 
　
ロ．「【００１３】図１は本発明の情報記録再生装置の構成図である。本情報記録再生装置は、ビデオカメラ、デジタルカメラ等の映像録画装置１と、映像録画装置１で録画した映像を再生するための映像再生装置２と、テレビ等の再生映像を表示するためのディスプレイ３で構成されている。
【００１４】映像録画装置１は、衛星からの信号を受信するＧＰＳ信号受信部１１と、音声情報収集するためのマイク１２と、映像情報を取得するためのレンズ部１３と、ＧＰＳ信号を一次処理するためのＧＰＳ信号処理部１４と、映像情報等を記録するための記録媒体（本例の場合、磁気テープ）１５で構成されている。
【００１５】図２は図１の映像録画装置１のブロック図である。ＧＰＳ信号受信部１１は、ＧＰＳ信号を受信するためのＧＰＳ信号受信アンテナ１１１と、ＧＰＳ信号増幅部（ＲＦ部）１１２で構成されている。音声情報記録制御部１２０はマイク部１２で収集された音声情報を記録媒体１５に記録する。ＣＣＤ素子部１３０はレンズ部１３を介して映像情報を取得し、映像情報記録制御部１３１は映像情報を記録媒体１５に記録する。読出し再生部４は記録媒体１５に記録された映像情報を読出し、再生する。ここで、ＧＰＳ信号は音声情報、映像情報に同期して記録媒体１５に記録される。また、読出し再生部４は、図１の映像再生装置２と同じ機能を有している。
【００１６】図３はディジタルビデオ信号を記録媒体１５に記録するための１トラック分の記録形式５を示している。１トラック分の記録形式５はサブコード領域５１と映像・音声情報記録領域５２とトラッキング情報記録領域５３で構成されている。サブコード領域５１は、映像情報・音声情報を領域５２に記録する場合、そのキャラクタ等の予備情報を記録するために用意されている領域である。トラッキング情報記録領域５３は、記録媒体に関するトラッキング情報を格納する領域である。この図で示すように、既に規定されているディジタルビデオの記録形式を用いることで、ＧＰＳ信号等の新たな信号は、その規定を変えることなく、記録媒体１５に記録できる。即ち、新たな信号であるＧＰＳ信号は、記録形式５のサブコード領域５１に格納することで記録可能である。
【００１７】図４は図１の映像再生装置２のブロック図である。記録情報読み取り部４０は、記録媒体１５から読み出された信号を信号線４０１を介して受信し、レジスタ等に格納・制御する。ＧＰＳ信号抽出部４１は、読み出された信号の中からＧＰＳ信号のみ抽出する。地名特定制御部４２は、抽出したＧＰＳ信号をもとに、地名・経度・緯度情報が格納されている地名・経度・緯度データベース４８や地図情報データベース４９を検索し、該当する地名を特定する。ディスプレイ表示制御部４３は、映像情報とともに特定した地名等（地名・時刻）をディスプレイ３に表示する。検索情報入力部４４は、記録媒体１５等から内容を検索するブロックで、キーボード等を介して検索情報（地名等（地名・時刻））を入力し、保持する。地名比較制御部４５は、入力された検索情報と、記録媒体１５からのＧＰＳ信号と、地名・経度・緯度情報データベース４８から読み出された情報とを比較し、検索対象の地域の記録場所（テープ位置またはフレーム位置）を特定する。入出力制御部４６は、地名比較制御部４５からの信号を受けて、記録媒体１５を駆動制御部４７に送出する制御命令を作りだす。なお、本機能で制御するのは、磁気テープ、磁気ディスク、ＣＤ−ＲＯＭ、光ディスク等の記録媒体の種類を特定するものではない。」（３頁３〜４欄）
　
ハ．「【００３０】図１１は、ＧＰＳ信号を取り込んだ映像情報が記録されている記録媒体１５から、目的とする映像情報を検索する処理の流れ図である。
【００３１】図１１（２）は、記録媒体１５を予め一通り検索し、ＧＰＳ信号に基づく区域処理の準備を行う前処理である。例えば、（１）ＧＰＳ信号から予め国レベルの特定を行い、該当記録にいずれの国において撮影・記録されたものであるかを抽出しておく。（２）ＧＰＳ信号の経度・緯度情報から記憶媒体１５のいずれの記憶位置にどの経度・緯度情報が記録されているかを求めるものであり、例えば、記録媒体が磁気テープの場合、テープのカウンタ値と経度・緯度との関係を求めておく。（３）さらに、経度・緯度情報が複雑な形で記録されている場合、その整理のための計算に多くの処理時間がかかると、実際の検索時に時間がかかり使いにくいものになる。これを回避するために、事前に経度・緯度情報を読出し整理する。例えば、似ている経度・緯度情報が前後に複数存在している場合は、単なる頭からのテープ読出しでは、確度高く検索できない。（４）また、事前に地名・経度・緯度情報データベース４８を検索し、より詳細なテーブルを作製しておくことにより、よりきめ細かな検索が可能である。図１１（２）はこれらの目的で行う事前処理の例である。事前処理では、図７に示す地名・経度・緯度情報データベース４８を元に、図８で示す経度・緯度情報から得られる地名・区域名索引テーブル８２，８４の当該記憶媒体用ローカルテーブルを作成したり、記憶媒体１５で記録されている経度・緯度情報と記憶位置を示すテーブル等が作成される。作成された情報やテーブル類は、別の記憶域に格納しておく。ただし、これら１１０１から１１０４までの処理は、事前に行わなくても情報の検索は可能である。
【００３２】図１１（１）は図１１（２）の事前処理で得られた情報をもとに映像情報格納位置を検索する処理を示したものである。
【００３３】まず、検索情報場所（Ｋ）を検索情報入力部４４から入力する（ステップ１１１１）。次に、検索情報場所（Ｋ）と事前処理で得られた概略区域（Ｌ）の内容を比較し（ステップ１１１２）、記憶媒体１５に検索情報場所（Ｋ）が存在するまで、以上の処理を繰り返す（ステップ１１１３）。記憶媒体１５に検索情報場所Ｋが存在すれば、地名・経度・緯度情報データベース４８を検索し（ステップ１１１４）、当該地名の経度・緯度情報（Ｍ）を取得する（ステップ１１１５）。次に、記録媒体１５をスキャンニングし、経度・緯度情報（Ｎ）を読出し（ステップ１１１６）、ＭとＮを比較する（ステップ１１１７）ことをＮとＭとが一致するまで繰り返す（ステップ１１１８）。ＭとＮが一致し、該当する場所であれば、映像情報等をディスプレイ３に表示する（ステップ１１１９）。最後に、人間がディスプレイ３の表示を見て、検索対象と一致するのが確認するようにしてもよい。」（４頁６欄〜５頁７欄）
　
　上記刊行物１の記載及び図面並びにこの分野における技術常識を考慮すると、上記ロ．の【００１３】、【００１４】の記載、及び図１によれば、情報記録再生装置は、映像録画装置（１）と、映像再生装置（２）と、ディスプレイ（３）で構成されている。ここで、映像録画装置（１）は、記録媒体（１５）を備えている。
　また、上記ロ．の【００１５】における「ＧＰＳ信号は音声情報、映像情報に同期して記録媒体１５に記録される。」との記載によれば、記録媒体（１５）は、映像情報とともにＧＰＳ信号を記録している。ここで、ＧＰＳ信号は、経度・緯度情報を有することは自明である。
　また、上記ハ．の【００３１】における「記憶媒体１５で記録されている経度・緯度情報と記憶位置を示すテーブル等が作成される。」との記載、及び図１１によれば、情報記録再生装置は、記録媒体（１５）に記録されている経度・緯度情報と記憶位置とを対応付けることでテーブルを作成している。
　また、上記ハ．の【００３３】における「検索情報場所（Ｋ）を検索情報入力部４４から入力する（ステップ１１１１）。次に、検索情報場所（Ｋ）と事前処理で得られた概略区域（Ｌ）の内容を比較し（ステップ１１１２）、記憶媒体１５に検索情報場所（Ｋ）が存在するまで、以上の処理を繰り返す（ステップ１１１３）。記憶媒体１５に検索情報場所Ｋが存在すれば、地名・経度・緯度情報データベース４８を検索し（ステップ１１１４）、当該地名の経度・緯度情報（Ｍ）を取得する（ステップ１１１５）。次に、記録媒体１５をスキャンニングし、経度・緯度情報（Ｎ）を読出し（ステップ１１１６）、ＭとＮを比較する（ステップ１１１７）ことをＮとＭとが一致するまで繰り返す（ステップ１１１８）。ＭとＮが一致し、該当する場所であれば、映像情報等をディスプレイ３に表示する（ステップ１１１９）。」との記載、及び図１１によれば、情報記録再生装置は、検索情報場所（Ｋ）を検索情報入力部（４４）から入力し、地名・経度・緯度情報データベース（４８）を検索し、当該地名の緯度・経度情報（Ｍ）を取得し、記録媒体（１５）をスキャニングし、経度・緯度情報（Ｎ）を読出し、ＭとＮとが一致するまで繰り返し、ＭとＮが一致し、該当する場所であれば、映像情報をディスプレイ（３）に表示している。ここで、情報記録再生装置は、検索情報場所（Ｋ）に対応する経度・緯度情報と、記録媒体（１５）に基づいて、映像情報を検索しており、これを検索手段と称することは任意である。
　
　したがって、上記刊行物１には、以下の発明（以下、「引用発明１」という。）が記載されているものと認められる。
　
　「情報記録再生装置であって、
　映像情報を経度・緯度情報とともに記録する記録媒体（１５）と、
　前記緯度・経度情報と、記憶位置とを対応付けることでテーブルを作成する作成手段と、
　検索情報場所（Ｋ）を入力する検索情報入力部（４４）と、
　前記検索情報場所（Ｋ）に対応する経度・緯度情報と、記録媒体（１５）に基づいて、映像情報を検索する検索手段と、
　前記検索手段が検索した検索結果に基づいて、前記検索情報場所（Ｋ）に対応する経度・緯度情報の映像情報を表示するディスプレイ（３）と、を備える情報記録再生装置。」
　
Ｂ　原査定の拒絶の理由に引用された特開２００１−１１１９４２号公報（以下、「刊行物２」という。）には、図面とともに以下の事項が記載されている。 
　
ニ．「【請求項２３】  位置情報が当該位置において撮影した映像情報とともに相互に不可分の関係をもって記録されている記録媒体から複数の前記位置情報および前記映像情報が再生され集められた管理データを用い、
特定の撮影位置を指定する位置指定手段、該位置指定手段により指定した特定の撮影位置と、前記管理データに含まれるカット毎の前記位置情報とを照合する照合手段、および該照合手段による照合の結果、前記位置情報のうちから前記特定の撮影位置に一致する映像情報を前記管理データから抽出して出力する出力手段を具えて、前記管理データに含まれ、前記特定の撮影位置において撮影されたすべての映像情報を検索し得るようにしたことを特徴とする特定の撮影位置において撮影された映像を検索する装置。
【請求項２４】  請求項２３記載の検索する装置において、前記管理データは、インターネットを経由して、外部事業者から集められたものを含んでいることを特徴とする特定の撮影位置において撮影された映像を検索する装置。」（３頁４欄） 
　
ホ．「【０００１】
【発明の属する技術分野】本発明は、取材されたテレビジョンの番組素材を、後で編集、放送（ON AIR)、あるいは資料化する際に、その番組素材が何処で取材されたかを容易に特定し得るように、また、取材に限らずある映像を撮影したときにその撮影位置を特定し得るようにし、さらには、テレビジョンに映出された映像により特定された場所を特定し得るようにし、また、特定の撮影位置において撮影された映像を検索し得るようにしたものである。」（３頁４欄）
　
　上記刊行物２の記載及び図面並びにこの分野における技術常識を考慮すると、上記ニ．の【請求項２４】における「前記管理データは、インターネットを経由して、外部事業者から集められたものを含んでいることを特徴とする特定の撮影位置において撮影された映像を検索する装置。」によれば、映像を検索する装置は、インターネットを経由して映像を検索している。
　
　したがって、上記刊行物２には、以下の発明（以下、「引用発明２」という。）が記載されているものと認められる。
　
　「インターネットを経由して映像を検索する装置。」
　
Ｃ　原査定の拒絶の理由に引用された特開２０００−２３６４９４号公報（以下、「刊行物３」という。）には、図面とともに以下の事項が記載されている。 
　
ヘ．「【０００１】
【発明の属する技術分野】本発明は、キーワードを用いて所望のシーン（映像及び又は音声）を検索するこのできる方法及びその装置に関する。」（３頁４欄） 
　
ト．「【００９１】図８に、第３の実施の形態にかかるシーン検索システムのシステム構成が示されている。図８において、上述した第１の実施の形態及び第２の実施の形態のシーン検索システムと同一機能を有する部分には同一符号を使用している。サーバシステムは、検索データ生成部１００と、検索処理部２３０とで構成されている、ユーザが希望する映像シーンを検索してユーザ端末へ送信する。
【００９２】検索データ生成部１００は、映像信号入力部１０１、音声信号入力部１０２、音声特徴パタン抽出部１０３及び映像検索インデクス生成部１０４で構成されている。
【００９３】検索処理部２３０は、記録部２０１、制御部２０２、キーワードパタン照合部２０５を備える。さらに、検索処理部２３０は、ユーザ端末３００から伝送媒体２３０を経由して送られてくる検索キーワードのデータを受信するキーワード受信部２３１と、検索されたシーンの映像信号と音声信号とをデータストリーム上に多重化して伝送媒体２３０を経由してユーザ端末３００へ送信する多重化部２３２とを有する。
【００９４】ユーザ端末３００は、キーワード入力部２０３、キーワード変換部２０４、検索されたシーンの映像信号を出力する音声信号出力部２０７、検索されたシーンの音声信号を出力する音声信号出力部２０６を備える。さらに、ユーザ端末３００は、キーワード変換部２０４によって変換された検索キーワードのサブワードを伝送媒体２３０を介して検索処理部２３０へ送信するキーワード送信部３０１と、検索処理部２３０から伝送媒体２３０を介して受信したデータストリームから映像信号及び音声信号を分離する多重分離部３０２とを有する。
【００９５】以上のように構成されたシーン検索システムでは、ユーザ端末３００において検索キーワードが入力される。ユーザ端末３００では、入力されたキーワードがキーワード変換部２０４により入力キーワードのサブワードに変換される。そして入力キーワードのサブワードがキーワード送信部３０１から伝送媒体２３０を介してへ送信される。本実施の形態における伝送媒体２３０はインターネットなどの通信網が望ましい。
【００９６】検索処理部２３０の記録部２０１には、上述した第１の実施の形態と同様にして映像信号、音声信号及びラティス構造の映像検索インデックスが記録されている。キーワード受信部２３１が受信したキーワードデータはキーワードパタン照合部２０５へ渡される。キーワードパタン照合部２０５は、上述したように映像検索インデックスのラティス構造からキーワードのサブワードと一致する音素記号を持つ映像検索インデックスをピックアップして、各時刻における復元キーワードを作成する。そして制御部２０２がスコアの高い復元キーワードの始端時刻に基づいて該当する映像信号及び音声信号を取り出す。このようにして検索されたシーンの映像信号及び音声信号は多重化部２３２でデータストリームの多重化された後、伝送媒体２３０を経由してユーザ端末３００へ送られる。
【００９７】ユーザ端末３００では、多重分離部３０２が検索キーワードに対して送られてきたデータストリームから映像信号及び音声信号を分離する。分離された映像信号及び音声信号は映像信号出力部２０６及び音声信号出力部２０７からそれぞれ再生される。
【００９８】このように、ユーザ端末３００とサーバシステム（検索データ生成部１００及び検索処理部２３０）とを通信網２３０を介して接続する事により、映像検索インデックスを生成する機能及び検索する機能を持たないユーザ端末３００から所望のシーンを検索することができる。」（１０頁１７〜１８欄）
　
　上記刊行物３の記載及び図面並びにこの分野における技術常識を考慮すると、上記ト．の【００９１】における「サーバシステムは、検索データ生成部１００と、検索処理部２３０とで構成されている、ユーザが希望する映像シーンを検索してユーザ端末へ送信する。」との記載、及び図８によれば、サーバシステムは、検索データ生成部（１００）と、検索処理部（２３０）を備え、ユーザが希望する映像シーンを検索してユーザ端末へ送信している。
　
　したがって、上記刊行物３には、以下の発明（以下、「引用発明３」という。）が記載されているものと認められる。
　
　「検索データ生成部（１００）と、検索処理部（２３０）を備え、ユーザが希望する映像シーンを検索してユーザ端末へ送信するサーバシステム。」
　
Ｄ　原査定の拒絶の理由に引用された特開２０００−１４８７９６号公報（以下、「刊行物４」という。）には、図面とともに以下の事項が記載されている。 
　
チ．「【０００１】
【発明の属する技術分野】本発明は、映像インデックス情報を用いた映像検索方法および音声インデックス情報を用いた音声検索方法並びに映像検索システムに関し、より詳細には、映像情報または音声情報の内部の論理構造を表現可能なデータ構造を有する映像インデックス情報を用いることにより、映像検索の利便性の向上を図った映像インデックス情報を用いた映像検索方法および音声インデックス情報を用いた音声検索方法並びに映像検索システムに関する。」（５頁７〜８欄） 
　
リ．「【０２０９】〔実施の形態８〕実施の形態８の映像検索システムは、基本的には実施の形態７の映像検索システムと同様であるため、同一の構成は同一の符号を付して、ここでは、異なる部分のみを詳細に説明する。
【０２１０】図２９は、実施の形態８の映像検索システムの概略システム構成を示し、映像検索システム８００は、複数の映像情報を記憶した複数の映像情報データベース７０１と、あらかじめ各映像情報に対応させて作成した映像インデックス情報を記憶した複数の映像インデックス情報データベース７０２と、複数の映像インデックス情報データベース７０２に記憶されている映像インデックス情報から映像情報データベース７０１に記憶されている映像情報を検索するための複数の検索情報を記憶した複数の検索情報転置ファイル８０１と、検索情報転置ファイル８０１を用いて映像情報データベース７０１の中から所望の検索条件と一致または類似する映像情報を検索する複数の検索装置７０４と、から構成される。
【０２１１】これらの映像情報データベース７０１、映像インデックス情報データベース７０２、検索情報転置ファイル８０１および検索装置７０４は、それぞれネットワーク８０２上に複数配置されており、ネットワーク８０２上の任意の検索装置７０４からネットワーク８０２上の任意の１つの検索情報転置ファイル８０１を介して、ネットワーク８０２上の全ての映像インデックス情報データベース７０２および映像情報データベース７０１に接続可能な構成である。換言すれば、複数の検索情報転置ファイル８０１はそれぞれ同一の内容が記憶されており、例えば、マスタファイルに相当する検索情報転置ファイル８０１から複製して作製したものである。また、ネットワーク８０２としてはインターネットや、イントラネット、ローカルエリアネットワーク等を想定することができる。
【０２１２】また、実施の形態８の映像インデックス情報は、基本的に実施の形態７と同様のデータ構造を有するものとするが、ここでは映像インデックス情報中の構造要素オブジェクトには映像情報が直接付加されていないものとする。
【０２１３】したがって、検索情報転置ファイル８０１は、映像情報から映像インデックス情報を生成して映像インデックス情報データベース７０２に記憶させる際に、同時に映像インデックス情報の各構造要素オブジェクトに対応させた映像情報を独自に作成して、作成した複数の検索情報を複数のカテゴリーに分類し、各検索情報と、それぞれの検索情報によって検索される構造要素オブジェクトおよびその構造要素オブジェクトが存在する映像インデックス情報とを関連付けて記憶したものとする。
【０２１４】このようにな構成において、実施の形態８の映像検索システム８００は、実施の形態７と同様の効果を奏すると共に、各装置がネットワーク８０２を介して接続されているため、さらに映像検索を行う際の利用者の利便性の向上を図ることができる。特に、各装置（映像情報データベース７０１、映像インデックス情報データベース７０２、検索情報転置ファイル８０１および検索装置７０４）にＵＲＬ／ＵＲＩを設定して、ネットワーク８０２を介して接続する構成とした場合には、映像検索システム８００をインターネット等を利用して広く一般のユーザに開放することができ、システムの汎用性を高めることができる。」（２５頁４７〜４８欄）
　
　上記刊行物４の記載及び図面並びにこの分野における技術常識を考慮すると、上記リ．の【０２１４】における「このようにな構成において、実施の形態８の映像検索システム８００は、実施の形態７と同様の効果を奏すると共に、各装置がネットワーク８０２を介して接続されているため、さらに映像検索を行う際の利用者の利便性の向上を図ることができる。特に、各装置（映像情報データベース７０１、映像インデックス情報データベース７０２、検索情報転置ファイル８０１および検索装置７０４）にＵＲＬ／ＵＲＩを設定して、ネットワーク８０２を介して接続する構成とした場合には、映像検索システム８００をインターネット等を利用して広く一般のユーザに開放することができ、システムの汎用性を高めることができる。」との記載、及び図２９によれば、映像検索システムは、インターネットを通じた装置から検索要求を受け付けることが読み取れる。
　
　したがって、上記刊行物４には、以下の発明（以下、「引用発明４」という。）が記載されているものと認められる。
　
　「インターネットを通じた装置から検索要求を受け付ける映像検索システム。」
　
（２）対比
　補正発明と引用発明１とを対比する。 
ａ．引用発明１の「映像情報を経度・緯度情報とともに記録する記録媒体（１５）」と、補正発明の「前記収集された動画データを前記メタ情報とともに記憶する動画データ記憶手段」とは、引用発明１の「映像情報」及び「経度・緯度情報」は、「動画データ」及び「地域位置情報」といえ、「経度・緯度情報」（地域位置情報）は、「メタ情報」に含まれるから、いずれも、「特定の動画データをメタ情報とともに記憶する動画データ記憶手段」という点で一致する。
ｂ．引用発明１の「前記緯度・経度情報と、記憶位置とを対応付けることでテーブルを作成する作成手段」と、補正発明の「前記動画収集手段が収集した前記動画データおよび前記メタ情報を基にして、前記地域位置情報に含まれる位置と、動画データのファイル名と、前記位置で撮影された動画データの再生位置情報とを対応付けることで索引情報を生成する索引付与手段」とは、引用発明１の「前記経度・緯度情報」及び「テーブル」は、「前記地域位置情報に含まれる位置」及び「索引情報」といえるから、いずれも、「地域位置情報に含まれる位置と、特定の位置情報とを対応付けることでテーブルを生成する索引付与手段」という点で一致する。
ｃ．引用発明１の「検索情報場所（Ｋ）を入力する検索情報入力部（４４）」と、補正発明の「端末から検索要求を受け付ける検索受付手段」とは、引用発明１の「検索情報場所（Ｋ）を入力する」は、「検索要求を受け付ける」といえるから、いずれも、「検索要求を受け付ける検索受付手段」という点で一致する。
ｄ．引用発明１の「前記検索情報場所（Ｋ）に対応する経度・緯度情報と、記録媒体（１５）に基づいて、映像情報を検索する検索手段」と、補正発明の「前記検索要求に対応する地域位置情報と、前記索引情報に基づいて、前記動画データ記憶手段に記憶され、前記検索要求に対応する地域位置情報の位置で撮影された時間帯の存在する動画データのファイル名と再生位置情報とを検索する検索手段」とは、いずれも、「前記検索要求に対応する地域位置情報と、特定の記憶情報に基づいて、特定の動画データを検索する検索手段」という点で一致する。
ｅ．引用発明１の「前記検索手段が検索した検索結果に基づいて、前記検索情報場所（Ｋ）に対応する経度・緯度情報の映像情報を表示するディスプレイ（３）」と、補正発明の「前記検索手段が検索した検索結果に基づいて、前記検索要求に対応する地域位置情報の位置で撮影された時間帯の存在する動画データと、該動画データのうち、前記検索要求に対応する地域位置情報の位置で撮影された各再生開始時刻とを対応付けた情報を、前記検索要求を受け付けた端末に送信する検索結果送信手段」とは、いずれも、「前記検索手段が検索した検索結果に基づいて、前記検索要求に対応する地域位置情報の位置の特定の動画データを処理する特定の処理手段」という点で一致する。
ｆ．引用発明１の「情報記録再生装置」と、補正発明の「動画検索サーバ」とは、引用発明１の「情報記録再生装置」は、映像情報の検索手段を備えるから、いずれも、「動画検索装置」という点で一致する。
　
 　したがって、補正発明と引用発明１は、以下の点で一致ないし相違している。 
 　 
（一致点） 
　「動画検索装置であって、
　特定の動画データをメタ情報とともに記憶する動画データ記憶手段と、
　地域位置情報に含まれる位置と、特定の位置情報とを対応付けることでテーブルを生成する索引付与手段と、
　検索要求を受け付ける検索受付手段と、
　前記検索要求に対応する地域位置情報と、特定の記憶情報に基づいて、特定の動画データを検索する検索手段と、
　前記検索手段が検索した検索結果に基づいて、前記検索要求に対応する地域位置情報の位置の特定の動画データを処理する特定の処理手段と、を備える動画検索装置。」
　
（相違点１）
　「動画検索装置」に関し、
　補正発明は、「インターネットを通じて、動画データに関する検索を受け付けて検索結果を送信する動画検索サーバ」であるのに対し、引用発明１は、「情報記録再生装置」である点。
　
（相違点２）
　補正発明は、「前記インターネットに公開された、撮影位置の異なる画像が連ねて構成された動画データおよび、該動画データが撮影された異なる複数の位置を示す地域位置情報と該地域位置情報で特定される各位置でそれぞれ撮影された前記動画データ内の各再生開始時刻を示す再生位置情報とを含むメタ情報を収集する動画収集手段」を備えるのに対し、引用発明１は、その様な構成を備えない点。
　
（相違点３）
　「特定の動画データ」に関し、
　補正発明は、「前記収集された」ものであるのに対し、引用発明１は、その様な特定がない点。
　
（相違点４）
　「地域位置情報に含まれる位置と、特定の位置情報とを対応付けることでテーブルを生成する索引付与手段」の態様に関し、
　補正発明は、「前記動画収集手段が収集した前記動画データおよび前記メタ情報を基にして、前記地域位置情報に含まれる位置と、動画データのファイル名と、前記位置で撮影された動画データの再生位置情報と」を対応付けることで索引情報を生成する索引付与手段であるのに対し、引用発明１は、「前記緯度・経度情報と、記憶位置と」を対応付けることでテーブルを作成する作成手段である点。
　
（相違点５）
　「検索要求を受け付ける検索受付手段」に関し、
　補正発明は、「端末から」検索要求を受け付けるのに対し、引用発明１は、その様な特定がない点。　
　
（相違点６）
　「前記検索要求に対応する地域位置情報と、特定の記憶情報に基づいて、特定の動画データを検索する検索手段」の態様に関し、
　補正発明は、前記検索要求に対応する地域位置情報と、「前記索引情報に基づいて、前記動画データ記憶手段に記憶され、前記検索要求に対応する地域位置情報の位置で撮影された時間帯の存在する動画データのファイル名と再生位置情報と」を検索する検索手段であるのに対し、引用発明１は、前記検索情報場所（Ｋ）に対応する経度・緯度情報と、「記録媒体（１５）に基づいて、映像情報」を検索する検索手段である点。
　
（相違点７）
　「前記検索手段が検索した検索結果に基づいて、前記検索要求に対応する地域位置情報の位置の特定の動画データを処理する特定の処理手段」に関し、
　補正発明は、前記検索手段が検索した検索結果に基づいて、「前記検索要求に対応する地域位置情報の位置で撮影された時間帯の存在する動画データと、該動画データのうち、前記検索要求に対応する地域位置情報の位置で撮影された各再生開始時刻とを対応付けた情報を、前記検索要求を受け付けた端末に送信する検索結果送信手段」であるのに対し、引用発明１は、前記検索手段が検索した検索結果に基づいて、「前記検索情報場所（Ｋ）に対応する経度・緯度情報の映像情報を表示するディスプレイ（３）」である点。
　
（判断）　
　上記相違点１ないし７について検討する。 
　引用発明１ないし４には、上記相違点１ないし７である補正発明における「インターネットを通じて、動画データに関する検索を受け付けて検索結果を送信する動画検索サーバ」、「前記インターネットに公開された、撮影位置の異なる画像が連ねて構成された動画データおよび、該動画データが撮影された異なる複数の位置を示す地域位置情報と該地域位置情報で特定される各位置でそれぞれ撮影された前記動画データ内の各再生開始時刻を示す再生位置情報とを含むメタ情報を収集する動画収集手段」、「前記収集された」動画データである点、「前記動画収集手段が収集した前記動画データおよび前記メタ情報を基にして、前記地域位置情報に含まれる位置と、動画データのファイル名と、前記位置で撮影された動画データの再生位置情報と」を対応付けることで索引情報を生成する索引付与手段、「端末から」検索要求を受け付ける点、前記検索要求に対応する地域位置情報と、「前記索引情報に基づいて、前記動画データ記憶手段に記憶され、前記検索要求に対応する地域位置情報の位置で撮影された時間帯の存在する動画データのファイル名と再生位置情報と」を検索する検索手段、前記検索手段が検索した検索結果に基づいて、「前記検索要求に対応する地域位置情報の位置で撮影された時間帯の存在する動画データと、該動画データのうち、前記検索要求に対応する地域位置情報の位置で撮影された各再生開始時刻とを対応付けた情報を、前記検索要求を受け付けた端末に送信する検索結果送信手段」について開示されていない。そして、補正発明は、これら構成を備えることによって、インターネット上で提供された動画データを検索しやすくし、動画データの利用を促進できるサーバを提供できるという作用効果を奏するものである。
　
　したがって、補正発明は、引用発明１ないし４に基いて、当業者が容易に発明をすることができたとはいえない。
　
　なお、前置報告書において、新たな引用文献として特開２００７−３６８３０号公報及び特開２００４−３２０２４２号公報が提示されている。しかしながら、上記相違点１ないし７の構成の開示がないから、これら引用文献があったとしても、当業者が容易に発明をすることができたとはいえない。また、補正後の請求項３に係る発明についても同様である。
　
　よって、本件補正は、特許法第１７条の２第６項において準用する同法第１２６条第７項の規定に適合する。
　
３．むすび 
　本件補正は、特許法第１７条の２第３項ないし第６項の規定に適合する。
 　 
第３　本願発明
　本件補正は上記のとおり、特許法１７条の２第３項ないし第６項の規定に適合するから、本願の請求項１ないし３に係る発明は、本件補正により補正された特許請求の範囲の請求項１ないし３に記載された事項により特定されるとおりのものである。
　そして、本願については、原査定の拒絶理由を検討してもその理由によって拒絶すべきものとすることはできない。
　また、他に本願を拒絶すべき理由を発見しない。
　よって、結論のとおり審決する。